(57)【要約】      （修正有）【課題】暑い時期のメガネ使用において、汗によるメガネの滑り落ちや、汗と鼻パッド材にかき混ぜられた状態での化粧くずれが避けられ、メガネ痕も残らない鼻パッド用吸汗クッションシールを提供する。【解決手段】鼻パッド４に汗を吸い取るため、吸湿性があって尚且つ弾性と適度な厚みを持ったクッション部分２と、粘着層の部分３からなる吸汗クッションシール１を貼る。これによって、汗が吸収されて摩擦効果があがりメガネを滑り落ちにくくする。汗と鼻パッド４によるかき混ぜが防げるので、化粧くずれをおこさない。また、クッションの厚みと弾性でメガネ痕を防ぐことができ、肌呼吸が妨げられないので肌の変色が抑えられる。粘着層３があるのでクッションは落ちることがない。【選択図】図２
0003136881.tif 000002
【実用新案登録請求の範囲】
【請求項１】
吸湿性があって尚且つ弾性で適度に厚みのある材質で出来たクッション部分２と、クッション部分２をメガネの鼻パッド４に貼るための粘着部分３の二つの部分からなる鼻パッド用吸汗クッションシール。                                            
【考案の詳細な説明】
【技術分野】
【０００１】
本考案は、メガネ使用の際汗によって起きる  メガネの滑り落ち、化粧くずれ、メガネ痕、を防止するため、鼻パッドの吸湿性を改良するシールに関するものである。
【背景技術】
【０００２】
今までに考案されたものは、鼻パッド本体の改良や、実用新案文献実開平５９４２２のように、材質がウレタンフォームであったり、実用新案文献実用新案登録３１００８９４では軟質の樹脂、実用新案文献実用新案登録  ３０９０９１８ではスポンジと、滑り止めに対するものが主で、汗によるトラブルに焦点を当てたものはなかった。そのため、汗のトラブルを避けるには  ティッシュやハンカチをはさんで間に合わせていた。
【０００３】
【特許文献１】実開平５―９４２２号公報
【特許文献２】実用新案登録第３１００８９４号公報
【特許文献３】実用新案登録第３０９０９１８号公報
【考案の開示】
【考案が解決しようとする課題】
【０００４】
現行の鼻パッド材には吸湿性がないため、暑い時期のメガネ使用に際して、汗によるメガネの滑り落ち、化粧が汗と鼻パッドによってかき混ぜられて起きる化粧くずれ、メガネ痕、が避けられず、長期の使用によって皮膚の黒ずみも問題になっていた。
【課題を解決するための手段】
【０００５】
メガネの鼻パッド材の吸湿性を補うために、鼻パッドの肌に面した部分に、汗を吸い取るため、吸湿性があって尚且つ弾性で適度に厚みのある材質で作られた吸汗クッションを貼る。これによって、化粧くずれの元となる汗を
吸い取る。汗が無くなることで鼻パッドの摩擦効果があがりメガネが滑りにくくなって化粧の掻き交ぜが起こらない、また、材質のクッション効果によってメガネ痕が軽減される。                  
【考案の効果】
【０００６】
メガネ鼻パッドの肌に面した部分に、汗を吸い取るための吸湿性クッションを貼ることで、鼻パッド材の吸湿性を補うことができる。これによって、化粧くずれの元となる汗を吸い取り、汗が無くなることで鼻パッドの摩擦効果があがりメガネも滑りにくくなって化粧のかき混ぜが起こらない。又材質のやわらかさと厚みによるクッション効果で鼻に残るメガネ痕を軽減することができ、皮膚呼吸を妨げないので肌の変色も抑えられる。
粘着層があるので、クッションがメガネから落ちない。
【考案を実施するための最良の形態】
【０００７】
以下、考案を実施するための最良の形態を図面に基づき説明する。
【０００８】
一般的にメガネは  図1でいうと、レンズ６とそれを支えるフレーム５、左右のレンズの間に一対の鼻パッド４、フレームの先にあるメガネ蔓７とで形成されている。図１には鼻パッド４に本考案の「鼻パッド用吸汗クッションシール」を取り付けた  メガネの左半分だけを図示して使い方を示した。図２の、吸湿性があって尚且つ弾性と適度の厚みのある材質でできたクッション部分２と、粘着層部分３から構成される「鼻パッド用吸汗クッションシール」を、横から見た図３のように、鼻パッド４の肌に当たる面に、粘着層の面を鼻パッド側にして取り付ける。
【０００９】
本考案「鼻パッド用クッションシール」にとって、材質の吸湿性、弾性、適度の厚み、という要素は大切である。適度の厚みという点では、ティッシュを3回から4回畳んだ位の厚みが欲しい。また、直接肌に当たるので、かぶれということも考慮する必要がある。したがって、現行では  衛生材にも使用されている、木材パルプやコットンパルプの不織布か圧縮シートが適当であると考える。
【００１０】
本考案の「鼻パッド用吸汗クッションシール」は小さく軽いものなのでそのままでは紛失しやすい。汗や化粧汚れも付くので、衛生上からも取替えや補充を簡単にする必要がある。そのため、図４のように右用左用の各1枚で2枚を一組とした本考案の「鼻パッド用吸汗クッションシール」複数組を離型効果のあるシートあるいはフィルム上にセットして予備とすると良い。
【００１１】
メガネの鼻パッド４にはいろいろな大きさや形があるので、吸汗クッションシール１もそれぞれに合った大きさのものが必要である。鼻パッド４の大きさに比べて、クッション２の方が小さいと、鼻パッド４にかかる圧力がクッション２に集中してかかって  メガネ痕がつきやすくなってしまう。吸汗クッションシール１の大きさは、図３のように鼻パッド４と同じか少し大きめの方が圧力が分散され、クッションの効果が十分に発揮されてメガネ痕が付きにくい。
【００１２】
吸汗クッション２が落ちないように鼻パッド４に固定する粘着材は、剥がしたあとにべたつきが残らないものが望ましい。また、その接着部分の大きさは、クッション２と同じ大きさはなくても良い。この場合粘着部分の位置は真ん中より上部につけたほうが、使用中に落ちる心配が少ない。
【００１３】
本考案のシールは、図５（ａ）に示すように必ずしも鼻パッドと同じ形である必要はなく、可愛いキャラクターの形状のシール１Ａや図５（ｂ）に示すようにおしゃれな模様をつけたシール１Ｂとすることも可能である。また、くだけた場面や遊びの場面では、一面だけでなく両面に模様をつけてシール自体を強調しても楽しい。
【図面の簡単な説明】
【００１４】
【図１】本考案「鼻パッド用吸汗クッションシール」を鼻パッドに装着したメガネの左半分の図
【図２】（ａ）は本考案「鼻パッド用吸汗クッションシール」本体の正面図、（ｂ）は側面図
【図３】本考案「鼻パッド用吸汗クッションシール」を鼻パッドに装着したところを横から見た図
【図４】本考案「鼻パッド用吸汗クッションシール」を離型紙上にセットしたシートの図
【図５】（ａ）は本考案「鼻パッド用吸汗クッションシール」にキャラクターをデザインした正面図、（ｂ）は模様をデザインした正面図
【符号の説明】
【００１５】
１  鼻パッド用吸汗クッションシール
２  吸湿性があって尚かつ弾性で厚みのあるクッション
３  粘着層                                        
４  鼻パッド
５  メガネフレーム                                                      
６  メガネレンズ
７  メガネ蔓
８  離型紙
【図１】
0003136881.tif 000003
【図２】
0003136881.tif 000004
【図３】
0003136881.tif 000005
【図４】
0003136881.tif 000006
【図５】
0003136881.tif 000007